(57)【要約】      （修正有）【課題】グリップ部の回動操作中に切替スイッチを誤操作することがないラチェットドライバーを提供することを目的とする。【解決手段】ドライバー軸部１が設けられるドライバー軸取付部２と、このドライバー軸取付部２にラチェット機構部を介して相対回動自在に設けられるグリップ部３とから成り、前記ドライバー軸取付部２と前記グリップ部３との間には、前記ドライバー軸部１の回動方向を切り替え操作する回動方向切替操作部４が回動操作自在に設けられ、この回動方向切替操作部４は開口部５ａを有するカバー部５で覆われており、このカバー部５の開口部５ａから前記回動方向切替操作部４の一部が露出するように構成されているラチェットドライバー。【選択図】図１
2020082296.tif 000002
【特許請求の範囲】
【請求項１】
ドライバー軸部が設けられるドライバー軸取付部と、このドライバー軸取付部にラチェット機構部を介して相対回動自在に設けられるグリップ部とから成るラチェットドライバーであって、前記ドライバー軸取付部と前記グリップ部との間には前記ドライバー軸部の回動方向を切り替え操作する回動方向切替操作部が回動操作自在に設けられ、この回動方向切替操作部は開口部を有するカバー部で覆われており、このカバー部の開口部から前記回動方向切替操作部の一部が露出するように構成されていることを特徴とするラチェットドライバー。
【請求項２】
請求項１記載のラチェットドライバーにおいて、前記カバー部は、使用者が前記グリップ部を握持した手の指が当たる位置に設けられていることを特徴とするラチェットドライバー。
【請求項３】
請求項２記載のラチェットドライバーにおいて、前記カバー部の開口部は、使用者が前記グリップ部を回動操作するために握持した際、このグリップ部を握持した手の親指と人差し指の間に位置するように設けられていることを特徴とするラチェットドライバー。
【請求項４】
請求項１〜３いずれか１項に記載のラチェットドライバーにおいて、前記回動方向切替操作部の外周部には、前記回動方向切替操作部を回動操作するための操作片部が設けられ、この操作片部は、前記カバー部の開口部から露出するように設けられていることを特徴とするラチェットドライバー。
【請求項５】
請求項１〜４いずれか１項に記載のラチェットドライバーにおいて、前記回動方向切替操作部は環状であり、前記回動方向切替操作部の回動範囲は前記開口部の開口幅長であることを特徴とするラチェットドライバー。
【請求項６】
請求項１〜５いずれか１項に記載のラチェットドライバーにおいて、前記カバー部は、前記グリップ部に一体的に設けられていることを特徴とするラチェットドライバー。
【発明の詳細な説明】
【技術分野】
【０００１】
本発明は、ラチェットドライバーに関するものである。
【背景技術】
【０００２】
従来のラチェットドライバーには、図７に示すように、グリップ20の先端部にグリップ20の操作方向と同じ方向に回動操作する切替スイッチ21が設けられているタイプのもの（以下「従来例」という。）がある。
【０００３】
従来例は、このようにグリップ20の先端部に回動操作する切替スイッチ21が設けられているから、グリップ20を握ったまま切替スイッチ21を指で容易に操作することができ、作業中にネジを回す方向を変更する際にも一々ドライバーを持ち替えなくても指で切替スイッチ21を操作できるメリットがある。
【０００４】
しかしながら、この従来例は、図８に示すように、グリップ20を握持した際に、このグリップ20を握持した手の指が丁度切替スイッチ21のところに位置してしまうため、グリップ20を回動操作している際に切替スイッチ21を誤操作してしまうことがある。
【０００５】
そのため、グリップ20を回動操作する際は、できるだけ切替スイッチ21に指が触れないようにしてグリップ20を握持したり、切替スイッチ21を誤操作させないように気を付けて操作することになり、しっかりとグリップ20を握持した状態での回動操作がし難いという欠点があった。
【発明の概要】
【発明が解決しようとする課題】
【０００６】
本発明は、このような現状に鑑みなされたもので、グリップ部の回動操作中に切替スイッチを誤操作することがないラチェットドライバーを提供することを目的とする。
【課題を解決するための手段】
【０００７】
添付図面を参照して本発明の要旨を説明する。
【０００８】
ドライバー軸部１が設けられるドライバー軸取付部２と、このドライバー軸取付部２にラチェット機構部６を介して相対回動自在に設けられるグリップ部３とから成るラチェットドライバーであって、前記ドライバー軸取付部２と前記グリップ部３との間には前記ドライバー軸部１の回動方向を切り替え操作する回動方向切替操作部４が回動操作自在に設けられ、この回動方向切替操作部４は開口部５ａを有するカバー部５で覆われており、このカバー部５の開口部５ａから前記回動方向切替操作部４の一部が露出するように構成されていることを特徴とするラチェットドライバーに係るものである。
【０００９】
また、請求項１記載のラチェットドライバーにおいて、前記カバー部５は、使用者が前記グリップ部３を握持した手の指が当たる位置に設けられていることを特徴とするラチェットドライバーに係るものである。
【００１０】
また、請求項２記載のラチェットドライバーにおいて、前記カバー部５の開口部５ａは、使用者が前記グリップ部３を回動操作するために握持した際、このグリップ部３を握持した手の親指と人差し指の間に位置するように設けられていることを特徴とするラチェットドライバーに係るものである。
【００１１】
また、請求項１〜３いずれか１項に記載のラチェットドライバーにおいて、前記回動方向切替操作部４の外周部には、前記回動方向切替操作部４を回動操作するための操作片部４ａが設けられ、この操作片部４ａは、前記カバー部５の開口部５ａから露出するように設けられていることを特徴とするラチェットドライバーに係るものである。
【００１２】
また、請求項１〜４いずれか１項に記載のラチェットドライバーにおいて、前記回動方向切替操作部４は環状であり、前記回動方向切替操作部４の回動範囲は前記開口部５ａの開口幅長ｌであることを特徴とするラチェットドライバーに係るものである。
【００１３】
また、請求項１〜５いずれか１項に記載のラチェットドライバーにおいて、前記カバー部５は、前記グリップ部３に一体的に設けられていることを特徴とするラチェットドライバーに係るものである。
【発明の効果】
【００１４】
本発明は上述のように構成したから、グリップ部を握持する手の指が回動方向切替操作部に触れることなくグリップ部を握持することができ、これにより、グリップ部の回動操作中、即ちネジの締め付け作業若しくは緩め作業中にグリップ部を握持している手の指で誤って回動方向切替操作部を操作してしまい回動方向切替操作部を誤作動させてしまうことがない使い勝手の良いラチェットドライバーとなる。
【図面の簡単な説明】
【００１５】
【図１】本実施例を示す正面図である。
【図２】本実施例の要部を示す説明分解斜視図である。
【図３】本実施例の使用状態を示す説明図である。
【図４】本実施例のラチェット機構（ニュートラル状態）を示す説明断面図である。
【図５】本実施例のラチェット機構（ネジ締め付け状態）を示す説明断面図である。
【図６】本実施例のラチェット機構（ネジ緩め状態）を示す説明断面図である。
【図７】従来例を示す正面図である。
【図８】従来例の使用状態を示す説明図である。
【発明を実施するための形態】
【００１６】
好適と考える本発明の実施形態を、図面に基づいて本発明の作用を示して簡単に説明する。
【００１７】
回動方向切替操作部４は、ドライバー軸取付部２とグリップ部３との間（境界部）に回動自在に設けられ、グリップ部３を握持したままこのグリップ部３を握持している手の指で操作することができる。
【００１８】
また、回動方向切替操作部４は、開口部５ａを有するカバー部５で覆われ、このカバー部５の開口部５ａから回動方向切替操作部４の一部が露出している。
【００１９】
したがって、この開口部５ａを避けるようにしてグリップ部３を握持することで、このグリップ部３を握持する手の指がカバー部５に当接し、よって、指が回動方向切替操作部４に触れることはない。
【００２０】
すなわち、グリップ部３の回動操作の際、言い換えるとネジの締め付け作業若しくは緩め作業の際、このグリップ部３を握持している指で回動方向切替操作部４を誤って操作してしまうことがなく、回動操作中（作業中）の回動方向切替操作部４の誤作動が生じない。よって、回動方向切替操作部４の誤作動を気にすることなく、しっかりとグリップ部３を握持して作業することができる。
【００２１】
以上のように、本発明は、グリップ部３を握持する手の指が回動方向切替操作部４に触れることなくグリップ部３をしっかりと握持することができ、グリップ部３の回動操作中、即ちネジの締め付け作業若しくは緩め作業中にグリップ部３を握持している手の指で誤って回動方向切替操作部４を操作してしまい回動方向切替操作部４を誤作動させてしまうことがない使い勝手の良いラチェットドライバーとなる。
【実施例】
【００２２】
本発明の具体的な実施例について図面に基づいて説明する。
【００２３】
本実施例は、ドライバー軸部１が設けられるドライバー軸取付部２と、このドライバー軸取付部２にラチェット機構を介して相対回動自在に設けられるグリップ部３とから成るラチェットドライバーである。
【００２４】
以下、本実施例に係る構成各部について詳述する。
【００２５】
ドライバー軸部１は、適宜な金属製部材（例えば鋼材）から成る棒状体に形成され、先端部にはビット１ａが設けられている。
【００２６】
具体的には、ドライバー軸部１は、両端部に異なる形状のビット１ａ（例えば一端にプラスネジ用ビット、他端にマイナスネジ用ビット）が設けられ、ドライバー軸取付部２に着脱自在に設けられ、ドライバー軸取付部２から取り外して所望のビット１ａに自在に切り替えることができるように構成されている。
【００２７】
尚、ビット形状は適宜変更可能であり、また、一端にのみビット１ａが設けられ、異なる形状のビット１ａが設けられた他のドライバー軸部１と差し替え自在な構成としても良い。
【００２８】
また、ドライバー軸取付部２は、先端部に前述のドライバー軸部１が回り止め状態で着脱自在に嵌着されるドライバー軸嵌着部（図示省略）が設けられ、基端部に後述するラチェット機構部６が回り止め状態で係合されるラチェット機構係合部（図示省略）が設けられている。
【００２９】
具体的には、ドライバー軸嵌着部は、ドライバー軸部１の端部を嵌入係止し得る凹部若しくは挿入孔に形成されている。
【００３０】
また、ラチェット機構係合部は、凹部に形成され、ラチェット機構部６の先端部が嵌入し連結される構成とされている。
【００３１】
また、ドライバー軸取付部２は、合成樹脂製（例えば強化プラスチック製）であり、外周面が滑り止め部材（例えばゴム製部材）で被覆され、使用者がこのドライバー軸取付部２をグリップ（先端側グリップ部２）として、指先でつまみ操作したり握持して回動操作したりすることができるように構成されている。
【００３２】
即ち、本実施例は、このドライバー軸取付部２を先端側グリップ部２として、後述するグリップ部３（基端側グリップ部３）と共にグリップ体７を形成する構成とされている。
【００３３】
また、グリップ部３は、前述した先端側グリップ部２とで後述する回動方向切替操作部４を挟持するようにして、ラチェット機構部６を介してドライバー軸取付部２に相対回動自在に設けられている。
【００３４】
具体的には、グリップ部３は、合成樹脂製（例えば強化プラスチック製）であり、図１に示すように、ほぼ球状に形成されボールグリップタイプ（ラウンドグリップタイプ）に構成されている。
【００３５】
また、グリップ部３は、ドライバー軸取付部２同様、外周面が滑り止め部材（例えばゴム製部材）で被覆され、更に、先端部にはラチェット機構部６の基端部が回り止め状態で係合されるラチェット機構係合部３ａが設けられている。
【００３６】
また、前述したドライバー軸取付部２及びグリップ部３を相対回動自在に連結するラチェット機構部６、言い換えると、グリップ体７を形成する先端側グリップ部２及び基端側グリップ部３を相対回動自在に連結するラチェット機構部６は、ラチェット機構が収容されるラチェット機構収容部８と、このラチェット機構収容部８の先端側に設けられ前述したドライバー軸取付部２、即ち先端側グリップ部２と回り止め状態で連結する先端側グリップ連結部（図示省略）と、ラチェット機構収容部８の基端側に設けられグリップ部３（基端側グリップ部３）と回り止め状態で連結する基端側グリップ連結部９と、ラチェット機構収容部８内のラチェット機構を切り替え操作するため、言い換えるとドライバー軸部１の回動方向を切り替え操作するための回動方向切替操作部４とで構成されている。
【００３７】
具体的には、基端側グリップ連結部９はラチェット機構収容部８と一体に設けられ、また、先端側グリップ連結部はラチェット機構収容部８に対して回動自在に設けられ、これにより、この先端側グリップ連結部に設けられるドライバー軸取付部２（先端側グリップ部２）に対して基端側グリップ連結部９に設けられるグリップ部３（基端側グリップ部３）が相対回動自在に設けられる構成となっている。
【００３８】
また、ラチェット機構収容部８に対する先端側グリップ連結部の回動方向は、回動方向切替操作部４の回動操作により切り替えられる構成とされている。
【００３９】
この回動方向切替操作部４は、環状（筒状）に形成され、ラチェット機構収容部８の外周面に被嵌されるものである。すなわち、ドライバー軸取付部２（先端側グリップ部２）とグリップ部３（基端側グリップ部３）との間に配設され、ラチェット機構収容部８の周方向に回動操作自在に設けられている。
【００４０】
また、回動方向切替操作部４は、図２に示すように、周面に操作片部４ａが突設され、本実施例は、ラチェット機構を切り替える際、即ちドライバー軸部１の回動規制方向を設定する際、この操作片部４ａを指で操作して回動方向切替操作部４を回動操作しラチェット機構を切り替え操作する構成とされている。
【００４１】
また更に、回動方向切替操作部４は、図１に示すように、開口部５ａを有するカバー部５で覆われ、グリップ部３を握持した際に、このカバー部５により、グリップ部３を握持している手の指が回動方向切替操作部４に触れることを防止し、グリップ部３を回動操作している際に回動方向切替操作部４を誤操作しないように構成されている。
【００４２】
このカバー部５は、使用者がグリップ部３を回動操作するためにこのグリップ部３を握持した際、このグリップ部３を握持した手の指が当たる位置に設けられている。
【００４３】
具体的には、カバー部５は、開口部５ａが回動方向切替操作部４の操作片部４ａを含むこの操作片部４ａの操作範囲部（可動領域）に位置するようにして回動方向切替操作部４を囲繞するように設けられている。
【００４４】
また、このカバー部５に設けられる開口部５ａは、使用者がグリップ部３を回動操作するためにこのグリップ部３を握持した際、このグリップ部３を握持した手の親指と人差し指の間に位置するように設けられている。
【００４５】
具体的には、開口部５ａの開口幅長ｌが回動方向切替操作部４の回動範囲となる。
【００４６】
即ち、カバー部５は、回動方向切替操作部４の露出範囲を可及的に低減するために開口部５ａの開口幅長ｌを回動方向切替操作部４を切り替え操作するために必要な最小限の長さに設定し、グリップ部３を握持した際、このグリップ部３を握持した手の指が回動方向切替操作部４に触れることを可及的に防止する構成とされている。
【００４７】
また、カバー部５は、図２に示すように、グリップ部３（基端側グリップ部３）の先端部にこのグリップ部３と一体形成されると共に、グリップ体７を握持した際、段差等で違和感が生じて握時しにくくならないように、先端側グリップ部２（ドライバー軸取付部２）及び基端側グリップ部３（グリップ部３）と一体的になるようグリップ体７の全体形状に合わせて緩やかな先細り形状に形成されている。
【００４８】
また、本実施例のラチェット機構は一般的な機構である。以下、簡単に説明する。
【００４９】
本実施例のラチェット機構は、図示するように、収容部が断面視略三角おにぎり形状に形成されるラチェット機構収容部８と、このラチェット機構収容部８に対して相対回動自在に設けられラチェット機構部６の先端側グリップ連結部と連結される回動部材10と、グリップ部３の回動操作による駆動力を回動部材10に伝達する駆動伝達部材11と、この駆動伝達部材11を押動操作し回動部材10との結合状態（歯合状態）を切り替える押動部材12とから成り、駆動伝達部材11の回動部材10との結合状態（歯合状態）により、グリップ部３から回動部材10への駆動力の伝達状態が変わり、ドライバー軸部１の回動方向が所定方向に規制されるように構成されている。
【００５０】
具体的には、本実施例のラチェット機構は、駆動伝達部材11が、付勢体11ａ（例えばコイルばね等）と、この付勢体11ａを介して連結され回動部材10に歯合する左右一対の係止爪11ｂとで構成され、この駆動伝達部材11は、グリップ部３の回動操作により一方の係止爪11ｂがラチェット機構収容部８の収容部内面に押動されて回動部材10との歯合状態が解除されるように構成されていて、この左右一対の夫々の係止爪11ｂの回動部材10に対する歯合状態により、グリップ部３から回動部材10への駆動力の伝達状態が変わり、ドライバー軸部１の回動方向が所定方向に規制されるように構成されている。
【００５１】
図４は、回動方向切替操作部４がニュートラル位置にある状態のラチェット機構の状態、即ち、一般的なドライバーと同様、グリップ部３をいずれの回動方向に操作してもドライバー軸部１がその操作方向に回動する状態のラチェット機構の状態を示すものである。
【００５２】
この回動方向切替操作部４がニュートラル位置にある場合は、押動部材12の駆動伝達部材11（係止爪11ｂ）に対する押動作用がなく、グリップ部３を回動操作しない状態では左右の両係止爪11ｂが夫々回動部材10との歯合状態を保持し、グリップ部３を回動操作した際、ラチェット機構収容部８の収容部内面に押圧される係止爪11ｂは左右のいずれか一方のみでもう一方の係止爪11ｂの回動部材10との歯合状態が保持されるので、グリップ部３を時計回り及び反時計回りのいずれの方向に回動操作してもこのグリップ部３の回動操作による駆動力が左右いずれか一方の係止爪11ｂにより回動部材10に伝達され、図中の実線矢印方向にグリップ部３を回動操作するとその回動操作方向にドライバー軸部１が回動することとなる。
【００５３】
図５は、回動方向切替操作部４をネジ締め付け側の位置に切り替え操作した状態のラチェット機構の状態、即ち、グリップ部３をネジ締め付け方向となる時計回りに回動操作した場合のみドライバー軸部１がその操作方向に回動する状態のラチェット機構の状態を示すものであり、また、図６は、回動方向切替操作部４をネジ緩め側の位置に切り替え操作した状態のラチェット機構の状態、即ち、グリップ部３をネジ緩め方向となる反時計回りに回動操作した場合のみドライバー軸部１がその操作方向に回動する状態のラチェット機構の状態を示すものである。
【００５４】
この回動方向切替操作部４がネジ締め付け側の位置若しくはネジ緩め位置側に切り替え操作した場合は、この回動方向切替操作部４の切り替え操作に伴い押動部材12が回動方向切替操作部４の切り替え操作方向に移動し、その移動方向に位置する係止爪11ｂを押動し、この押動部材12に押動された係止爪11ｂの回動部材10との歯合状態が解除され、押動部材12に押動されていない一体の回動部材10で駆動力の伝達を行うこととなり、前述したように、この係止爪11ｂはグリップ部３の回動操作によるラチェット機構収容部８の収容部内面の押動作用により回動部材10との歯合状態が解除されるので、一体の係止爪11ｂではグリップ部３の時計回り若しくは反時計回りのいずれか一方の方向しか駆動力を伝達することができず、これにより、ドライバー軸部１の回動方向が一方向に規制され、グリップ部３を図中の実線矢印方向に回動操作した場合に駆動力が伝達してドライバー軸部１も回動し、点線矢印方向に回動操作した場合は駆動力が伝達されずグリップ部３が空転することとなりラチェット機能が発揮されることとなる。
【００５５】
本実施例は、以上のように構成されているから、グリップ部３を握持する際に、図３に示すようにカバー部５に設けられた開口部５ａを避けるようにしてグリップ部３を握持することで、このグリップ部３を握持する手の指がカバー部５に当接し、回動方向切替操作部４に触れることなくグリップ部３を握持することができ、したがって、グリップ部３を回動操作する際に、即ち、言い換えると本実施例を用いてネジの締め付け作業若しくは緩め作業を行う際に、このグリップ部３を握持している指で回動方向切替操作部４を誤って操作してしまうことが防止され、回動操作中（作業中）の回動方向切替操作部４の誤作動の発生が防止されることとなる。
【００５６】
以上により、本実施例は、回動方向切替操作部４の誤作動を気にすることなく、しっかりとグリップ部３を握持してネジの締め付け若しくは緩め作業を行うことができる実用性に優れたラチェットドライバーとなる。
【００５７】
尚、本発明は、本実施例に限られるものではなく、各構成要件の具体的構成は適宜設計し得るものである。
【符号の説明】
【００５８】
１  ドライバー軸部
２  ドライバー軸取付部
３  グリップ部
４  回動方向切替操作部
４ａ  操作片部
５  カバー部
５ａ  開口部
６  ラチェット機構部
ｌ  開口幅長
【図１】
2020082296.tif 000003
【図２】
2020082296.tif 000004
【図３】
2020082296.tif 000005
【図４】
2020082296.tif 000006
【図５】
2020082296.tif 000007
【図６】
2020082296.tif 000008
【図７】
2020082296.tif 000009
【図８】
2020082296.tif 000010